(57)【特許請求の範囲】
【請求項１】
入力信号をデータ化した信号波形データを記憶する波形メモリと、前記入力信号の信号波形を表示する表示部とを備え、前記表示部の表示画面を上下に分割して複数の分割表示画面を表示し、当該分割表示画面毎に前記信号波形を表示可能に構成されている波形表示装置において、
前記波形メモリに記憶されている過去の前記入力信号の前記信号波形データに基づき当該過去の入力信号の任意の前記信号波形を１の前記分割表示画面に表示すると共に、新たに入力された前記入力信号の前記信号波形データに基づく前記信号波形を他の前記分割表示画面に表示し、かつ当該過去の入力信号の信号波形における同期すべき波形部位および当該新たに入力された入力信号の信号波形における同期すべき波形部位とが上下方向に並んだ状態で、当該過去の入力信号の信号波形および当該新たに入力された入力信号の信号波形を同期してスクロール表示可能に構成したことを特徴とする波形表示装置。
【発明の詳細な説明】
【０００１】
【発明の属する技術分野】
本発明は、入力信号をデータ化した信号波形データに基づく信号波形を表示する波形表示装置に関するものである。
【０００２】
【従来の技術】
この種の波形表示装置として、図５に示す波形記録装置３１が従来から知られている。この波形記録装置３１は、入力信号Ｓをデータ化した波形データＤの記録や、波形データＤに基づく信号波形の表示などを実行可能に構成されている。具体的には、波形記録装置３１は、入力信号Ｓの信号波形に対応する波形データＤを生成する測定部２と、波形データＤに基づく信号波形などを表示する表示部３と、キー２１ａ〜２１ｅからなるファンクションキー部２１（図７参照）などが配列された操作部４と、波形データＤのフロッピーディスク（以下、「ＦＤ」という）への記録やＦＤからの読み出しを実行するフロッピーディスクドライブ（以下、「ＦＤＤ」という）５と、測定部２の測定制御および表示部３の表示制御などを実行する制御部３６と、波形データＤを一時的に記憶するＲＡＭ３７と、制御部３６の動作プログラムなどを記憶するＲＯＭ３８とを備えている。
【０００３】
この波形記録装置３１は、いわゆるトリガ機能を有しており、このトリガ機能実行時には、波形データＤの記録・表示は、測定部２に入力される入力信号Ｓのレベルが所定の電圧範囲を外れた時点や、所定の設定値を上向き（＋方向）または下向き（−方向）で横切った時点で開始される。例えば図６（ｂ）に示す入力信号Ｓ２が例えば±０．１Ｖの電圧範囲を外れたときにトリガ機能によって記録・表示を行う際には、まず、操作部４の所定のキーを操作することにより、図７に示す波形表示画面４１を表示部３に表示させる。この状態では、制御部３６は、入力信号Ｓ２の電圧値が±０．１Ｖの電圧範囲を外れた時間ｔ１の時点で、測定部２から出力される波形データＤ２のＲＡＭ３７への記憶を開始する共に、同図に示すように、その波形データＤ２に基づく信号波形Ｗ２を表示部３に逐次表示させる。
【０００４】
また、波形記録装置３１では、ＦＤなどに既に記録されている波形データＤに基づく信号波形の任意の波形部位を拡大表示することもできる。例えば、図６（ａ）に示す入力信号Ｓ１についての信号波形Ｗ１の所定部位を拡大表示する際には、まず、ファンクションキー部２１のキー２１ｅを操作して、図８に示す表示範囲指定用画面４２を表示部３に表示させる。この場合、表示範囲指定用画面４２は２分割表示され、上側の分割表示画面には、波形データＤに基づく信号波形の任意の波形部位を範囲指定可能に信号波形全体を表示する全体表示画面４３が表示され、下側の表示画面には、全体表示画面４３上で範囲指定された波形部位を時間軸方向に拡大して表示する拡大表示画面４４が表示される。また表示範囲指定用画面４２には、拡大表示する波形部位を全体表示画面４３上で範囲指定するためのカーソル表示４５ａ，４５ｂが表示される。なお、この時点では、両表示画面４３，４４には、信号波形が表示されていない。
【０００５】
次に、波形データＤ１が記録されたＦＤをＦＤＤ５に挿入して所定のキーを操作する。この際には、制御部３６は、ＦＤから波形データＤ１を読み込むと共に、読み込んだ波形データＤ１をＲＡＭ３７に記憶させ、かつ、図８に示すように、その波形データＤ１に基づく信号波形Ｗ１全体を全体表示画面４３に表示させる。次いで、ファンクションキー部２１のキー２１ａを操作する。この状態では、カーソル表示４５ａによって範囲指定の始点が設定可能となり、キー２１ｃ，２１ｄを操作することによりカーソル表示４５ａを任意の部位に移動させる。同様にして、キー２１ｂを操作し、キー２１ｃ，２１ｄを操作することによりカーソル表示４５ｂを範囲指定の終点に移動させる。これにより、同図に示すように、拡大表示画面４４には、カーソル表示４５ａ，４５ｂによって範囲指定された信号波形Ｗ１が時間軸方向に拡大して表示される。この後、キー２１ｅを操作すると、図９に示すように、波形表示画面４１が表示部３に表示され、表示範囲指定用画面４２上で範囲指定した信号波形Ｗ１が波形表示画面４１に表示される。
【０００６】
【発明が解決しようとする課題】
ところが、従来の波形記録装置３１には、以下の問題点がある。すなわち、従来の波形記録装置３１では、新たに入力された入力信号Ｓ２に基づく信号波形Ｗ２や、過去に記録した波形データＤ１に基づく信号波形Ｗ１を波形表示画面４１に表示させることができる。しかし、例えば、過去に記録した波形データＤ１に基づく信号波形Ｗ１と、新たに入力される入力信号Ｓ２の信号波形Ｗ２とを表示部３に同時に表示することができない。このため、両信号波形Ｗ１，Ｗ２の比較が困難となる結果、例えば、正常な信号波形Ｗ１を予め記録しておいて、その信号波形Ｗ１と、新たに入力される信号波形Ｗ２とを比較することにより信号波形Ｗ２に異常な箇所が生じていないかを発見するのが困難であるという問題点がある。
【０００７】
本発明は、かかる問題点に鑑みてなされたものであり、過去に記録した波形データに基づく信号波形と新たに入力された入力信号の信号波形とを容易に比較することが可能な波形表示装置を提供することを主目的とする。
【０００８】
【課題を解決するための手段】
上記目的を達成すべく請求項１記載の波形表示装置は、入力信号をデータ化した信号波形データを記憶する波形メモリと、入力信号の信号波形を表示する表示部とを備え、表示部の表示画面を上下に分割して複数の分割表示画面を表示し、分割表示画面毎に信号波形を表示可能に構成されている波形表示装置において、波形メモリに記憶されている過去の入力信号の信号波形データに基づき過去の入力信号の任意の信号波形を１の分割表示画面に表示すると共に、新たに入力された入力信号の信号波形データに基づく信号波形を他の分割表示画面に表示し、かつ過去の入力信号の信号波形における同期すべき波形部位および新たに入力された入力信号の信号波形における同期すべき波形部位とが上下方向に並んだ状態で、過去の入力信号の信号波形および新たに入力された入力信号の信号波形を同期してスクロール表示可能に構成したことを特徴とする。
【００１２】
【発明の実施の形態】
以下、添付図面を参照して、本発明に係る波形表示装置を波形記録装置に適用した好適な発明の実施の形態について説明する。なお、従来の波形記録装置３１と同一の構成要素については同一の符号を付して重複した説明を省略する。
【００１３】
最初に、図５のブロック図を参照して、本発明の実施の形態に係る波形記録装置１の電気的な構成について説明する。
【００１４】
同図に示すように、波形記録装置１は、測定部２、表示部３、操作部４、ＦＤＤ５、制御部６、ＲＡＭ７およびＲＯＭ８を備えて構成されている。測定部２は、入力信号Ｓをアナログ−ディジタル変換して波形データＤを生成すると共に、その波形データＤを制御部６に出力する。表示部３は、ＬＣＤパネルまたはブラウン管（ＣＲＴ）で構成され、制御部６の制御下で波形データＤに基づく信号波形などを表示する。操作部４には、使用状況に応じて各種機能が割り当てられると共に割り当てられた機能を示す機能表示が表示部３に表示されるキー２１ａ〜２１ｅからなるファンクションキー部２１などの各種キーが配列されている。ＦＤＤ５は、波形データＤのＦＤへの記録、およびＦＤに記録された波形データＤの読込みを実行する。制御部６は、入力した波形データＤのＲＡＭ７への記憶制御、その波形データＤに基づく信号波形の表示部３への表示制御、並びに、ＦＤＤ５に対するＦＤへの波形データＤの記録制御および波形データＤの読出し制御などを実行する。ＲＡＭ７は、本発明における波形メモリに相当し、複数の信号波形にそれぞれ対応する波形データＤを独立して記憶可能に構成されている。ＲＯＭ８は、制御部６の動作プログラムなどを記憶する。
【００１５】
次に、波形記録装置１の全体的な動作について説明する。なお、以下の説明において、図６（ａ）に示す入力信号Ｓ１についての波形データＤ１を過去に記録した波形データとし、同図（ｂ）に示す入力信号Ｓ２についての波形データＤ２を新たに入力する入力信号Ｓの波形データとし、かつ、トリガ測定によって両入力信号Ｓ１，Ｓ２の記録が開始された時間を便宜上同図に示す時間ｔ１とする。また、波形記録装置３１の有する機能と同一の機能については重複した説明を省略し、以下、波形データＤ１，Ｄ２にそれぞれ基づく信号波形Ｗ１，Ｗ２の同時表示方法について、各図を参照して説明する。
【００１６】
まず、操作部４の所定キーを操作して、図１に示す波形表示画面１１を表示部３に表示させる。この場合、波形表示画面１１には、本発明における１の分割表示画面に相当し過去の波形データＤ１に基づく信号波形Ｗ１を表示する第１表示画面１２と、本発明における他の分割表示画面に相当し新たに入力する入力信号Ｓ２についての波形データＤ２に基づく信号波形Ｗ２を表示する第２表示画面１３とが表示される。また、波形表示画面１１には、第１表示画面１２または第２表示画面１３に表示される信号波形の所定部位を指定するためのカーソル表示１４と、カーソル表示１４で指定された波形部位についての記録開始時からの経過時間およびその振幅値を表示するカーソル読取表示１５と、そのカーソル読取表示機能が選択割付けされた表示画面を示す選択画面表示１６とが表示される。
【００１７】
次いで、操作部４の所定キーを操作して、両表示画面１２，１３における時間軸レンジを設定する。この場合、時間軸フルスケールを例えば５秒に設定する。次に、波形データＤ１が記録されているＦＤをＦＤＤ５に挿入した後、操作部４の所定キーを操作する。これにより、ＦＤＤ５によって波形データＤ１が読み込まれる。この際には、制御部６は、読み込んだ波形データＤ１をＲＡＭ７の所定記憶エリアに記憶させると共に、図１に示すように、第１表示画面１２の左端に、その波形データＤ１に基づく信号波形Ｗ１における先頭波形部位（図６における時間ｔ１の時点で記録開始された波形部位）を表示し、かつ５秒の記録時間に相当する波形部位を表示させる。
【００１８】
次いで、新たな入力信号Ｓ２が入力されると、測定部２が、トリガ測定機能によって入力信号Ｓ２についての波形データＤ２を生成する。次いで、制御部６が、その波形データＤ２をＲＡＭ７の所定記憶エリアに記憶させると共に、図２に示すように、図６における時間ｔ１の時点の信号波形を第２表示画面１３の左端に先頭波形部位として表示し、波形データＤ２に基づく信号波形Ｗ２を第２表示画面１３に逐次表示させる。一方、図３に示すように、第２表示画面１３の右端まで信号波形Ｗ２を表示したときには、制御部６は、両表示画面１２，１３にそれぞれ表示されている信号波形Ｗ１，Ｗ２における例えば１秒分に相当する信号波形を同期して表示画面の左側に向けてスクロール表示する。この後、制御部６は、図４に示すように、記録時間の経過に応じてスクロール表示を行いつつ両信号波形Ｗ１，Ｗ２を両表示画面１２，１３にそれぞれ表示する。
【００１９】
この場合、オペレータは、第１表示画面１２および第２表示画面１３にそれぞれ表示された信号波形Ｗ１，Ｗ２を比較することによって、その相違点を容易に識別することができる。例えば、信号波形Ｗ２の０Ｖに収束するまでの時間が信号波形Ｗ１と比較して数秒遅れていることを容易に判別することができる。このように、この波形記録装置１によれば、過去に記録した波形データＤ１に基づく信号波形Ｗ１と、新たに入力された入力信号Ｓ２についての波形データＤ２に基づく信号波形Ｗ２とを、波形表示画面１１の上下に分割表示した第１表示画面１２および第２表示画面１３にそれぞれ表示することにより、両信号波形Ｗ１，Ｗ２を容易に比較することができる。また、両信号波形Ｗ１，Ｗ２を同期してスクロール表示することにより、１回の記録時間が長時間に亘る信号波形であっても、オペレータに対して、両信号波形Ｗ１，Ｗ２の相違点を極めて容易に識別させることができる。
【００２０】
また、この波形記録装置１では、任意の波形部位に同期させて両信号波形Ｗ１，Ｗ２を表示することもできる。例えば、図６に示す信号波形Ｗ１の時間ｔ１における波形部位と信号波形Ｗ２の時間ｔ２における波形部位とを同期させて表示させる際には、まず、操作部４の所定キーを操作して、両表示画面１２，１３の同期表示を解除する。次に、第１表示画面１２に信号波形Ｗ１を表示させ、ジョグダイヤルなどで信号波形Ｗ１を適宜移動させる。次いで、第２表示画面１３に新たに入力された入力信号Ｓ２についての信号波形Ｗ２を逐次表示させる。この状態では、信号波形Ｗ２が第２表示画面１３の右端まで表示されると、信号波形Ｗ２のみが表示画面の左側に向けてスクロール表示される。この際に、両信号波形Ｗ１，Ｗ２における同期すべき波形部位が波形表示画面１１の上下方向に並んだ時点でキー２１ａを操作する。これにより、両信号波形Ｗ１，Ｗ２は、それ以降、同期して表示される。この場合には、スクロール表示についても、上記した表示処理と同様にして行われる。この結果、両表示画面１２，１３に表示される両信号波形Ｗ１，Ｗ２を任意の波形部位に同期させて表示できるため、例えば、トリガ測定において先頭波形部位が若干時間ずれして記録されたような場合であっても、対比すべき波形部位同士を確実に比較することができる。
【００２１】
さらに、この波形記録装置１では、新たな入力信号Ｓ２の波形データＤ２を記録した後、図３に示すように、両信号波形Ｗ１，Ｗ２を各々の任意の波形部位に同期させた状態で第１表示画面１２および第２表示画面１３にそれぞれ表示させ、所定キーを操作することによって第１表示画面１２および第２表示画面１３のいずれか一方に両信号波形Ｗ１，Ｗ２を重ね合わせて表示することもできる。この場合には、両信号波形Ｗ１，Ｗ２における相違点の識別が極めて容易となる。なお、この場合にも、両信号波形Ｗ１，Ｗ２を同期させてスクロール表示することができ、相対比する両信号波形Ｗ１，Ｗ２の記録時間が長時間に亘る場合であっても、オペレータに対して、両信号波形Ｗ１，Ｗ２の相違点を確実かつ極めて容易に識別させることができるのは勿論である。
【００２２】
なお、上記した実施の形態に限定されない。例えば、本発明の実施の形態では、波形表示画面１１を上下に分割した第１表示画面１２および第２表示画面１３に信号波形Ｗ１，Ｗ２をそれぞれ表示する例について説明したが、分割表示画面は、これに限定されず、波形表示画面を左右方向に分割したり、３つ以上に分割して各々の分割表示画面に異なる信号波形をそれぞれ表示させてもよい。
【００２３】
【発明の効果】
以上のように、請求項１記載の波形表示装置によれば、既に記録した過去の入力信号の任意の波形部位を１の分割表示画面に表示すると共に、新たに入力した入力信号の信号波形を他の分割表示画面に表示し、かつ過去の入力信号の信号波形における同期すべき波形部位および新たに入力した入力信号の信号波形における同期すべき波形部位とが上下方向に並んだ状態で、過去の入力信号の信号波形および新たに入力された入力信号の信号波形を同期してスクロール表示することにより、相対比する信号波形の記録時間が長時間に亘る場合であっても、オペレータに対して、両信号波形の相違点を確実かつ極めて容易に識別させることができる。
【図面の簡単な説明】
【図１】波形表示画面１１の第１表示画面１２に波形データＤ１に基づく信号波形Ｗ１を表示させたときの表示部３の表示画面図である。
【図２】入力信号Ｓ２についての波形データＤ２に基づく信号波形Ｗ２を波形表示画面１１の第２表示画面１３に逐次表示させているときの表示部３の表示画面図である。
【図３】信号波形Ｗ２が第２表示画面１３の右端まで表示されたときの表示部３の表示画面図である。
【図４】波形表示画面１１の信号波形Ｗ１，Ｗ２をスクロール表示しているときの表示部３の表示画面図である。
【図５】本発明の実施の形態に係る波形記録装置１および従来の波形記録装置３１の電気的構成を示すブロック図である。
【図６】（ａ）は過去に記録した波形データＤ１の基となる入力信号Ｓ１の一例を示す信号波形図、（ｂ）は新たに入力された入力信号Ｓ２の一例を示す信号波形図である。
【図７】波形表示画面４１に信号波形Ｗ２を表示させたときの表示部３の表示画面図である。
【図８】表示範囲指定用画面４２上で信号波形Ｗ１の所定波形部位を範囲指定した際の表示部３の表示画面図である。
【図９】範囲指定された信号波形Ｗ１を波形表示画面４１に表示したときの表示部３の表示画面図である。
【符号の説明】
１  波形記録装置
３  表示部
７  ＲＡＭ
１１  波形表示画面
１２  第１表示画面
１３  第２表示画面
Ｄ，Ｄ１，Ｄ２  波形データ
Ｓ，Ｓ１，Ｓ２  入力信号
Ｗ１，Ｗ２  信号波形
【図１】
0004455691.tif 000002
【図２】
0004455691.tif 000003
【図３】
0004455691.tif 000004
【図４】
0004455691.tif 000005
【図５】
0004455691.tif 000006
【図６】
0004455691.tif 000007
【図７】
0004455691.tif 000008
【図８】
0004455691.tif 000009
【図９】
0004455691.tif 000010